(57)【要約】【課題】電解コンデンサの寿命末期時に電解液の蒸発ガスが外部に噴出した場合、この蒸発ガスが着色されるようにしたり、蒸発ガスが外部へ噴出するのを抑制したりして、使用者の誤認を防止する電解コンデンサ及び電気機器を提供することを目的とする。【解決手段】電解液を含むコンデンサ素子１ａを密封状態に収納するとともに内部圧力が所定以上になった場合に電解液の蒸発ガスを噴出する安全弁６が設けられたケース３と、前記蒸発ガス発生から流出の経路中に介在された着色剤とを備えた電解コンデンサ１である。【選択図】図２
2010056537.tif 000002
【特許請求の範囲】
【請求項１】
電解液を含むコンデンサ素子を密封状態に収納するとともに内部圧力が所定以上になった場合に電解液の蒸発ガスを噴出する安全弁が設けられたケースと；
前記蒸発ガス発生から流出の経路中に介在された着色剤と；
を具備することを特徴とする電解コンデンサ。
【請求項２】
前記着色剤は、絶縁性の顔料粉体であり、この絶縁性の顔料粉体又は絶縁性の粉体に当該顔料粉体を混合した混合粉体の多数の通気路を有する成形体を前記安全弁の表面側に配設したことを特徴とする請求項１に記載の電解コンデンサ。
【請求項３】
電解液を含むコンデンサ素子を密封状態に収納するとともに内部圧力が所定以上になった場合に電解液の蒸発ガスを噴出する安全弁が設けられたケースと；
蒸発ガスの外部への流出を抑制するように配設された流出抑制部材と；
を具備することを特徴とする電解コンデンサ。
【請求項４】
前記流出抑制部材は、前記安全弁と対向し、ケースの内側に配設されていることを特徴とする請求項３に記載の電解コンデンサ。
【請求項５】
前記ケースには、前記安全弁を含んで覆うカバー手段が取付けられており、前記流出抑制部材は、前記安全弁と離間して対向し、カバー手段の内側に配設されていることを特徴とする請求項３に記載の電解コンデンサ。
【請求項６】
電気回路を構成する回路部品と；
回路部品の一部として電気回路に設けられた請求項１乃至請求項５のいずれか一に記載の電解コンデンサと；
を具備することを特徴とする電気機器。
【発明の詳細な説明】
【技術分野】
【０００１】
本発明は、回路部品として用いられる電解コンデンサ及びこの電解コンデンサを設けた電気機器に関する。
【背景技術】
【０００２】
従来、電気機器として、例えば、放電灯を点灯させる点灯装置は、一般的には、フィルタ回路、整流平滑回路、高周波変換回路及びランプ点灯回路等から構成されており、整流平滑回路には、直流電源の平滑のため電解コンデンサが接続されている。電解コンデンサは、例えば、陽極箔と陰極箔からなる一対の電極間に電解紙を挟み巻回した電解コンデンサ素子に電解液を含浸させ、この含浸済みの素子に封口ゴムを取付け、有底筒状のケース内に入れて封止されている。
【０００３】
電解コンデンサは、経年変化に伴って、電解液が蒸発して減少し、寿命末期には、電解液の減少による容量低下に加えて電解液の等価直列抵抗（ＥＳＲ）が上昇し、温度上昇する。やがて、リップル電流により発熱が大きくなり、熱暴走を引き起こし、急激に温度上昇し、電解液の沸点を超えて電解液の蒸発ガスの圧力でケースが破裂する虞がある。そのためケースの一部に安全弁が設けられたものがあり、電解液の蒸発ガスでケース内の圧力が所定圧力以上に達した場合、安全弁が作動し、電解液の蒸発ガスを外部に噴出させ、ケースが破裂するのを防止するようにしている（例えば、特許文献１及び特許文献２参照）。
【先行技術文献】
【特許文献】
【０００４】
【特許文献１】実公平２−３１７８３号公報
【特許文献２】実公平２−４６０４１号公報
【発明の概要】
【発明が解決しようとする課題】
【０００５】
しかしながら、電解コンデンサにおいて、安全弁が作動することは、ケース内の異常な圧力上昇を抑えることを目的とした正常な動作であるが、外部に噴出した電解液の蒸発ガスが煙に見えることから、使用者が焼損による発煙と誤認し、火災と判断してしまいやすい現象を呈する。
【０００６】
本発明は、上記事情に鑑みなされたもので、電解コンデンサの寿命末期時に電解液の蒸発ガスが外部に噴出した場合、この蒸発ガスが着色されるようにしたり、蒸発ガスが外部へ噴出するのを抑制したりして、使用者の誤認を防止する電解コンデンサ及び電気機器を提供することを目的とする。
【課題を解決するための手段】
【０００７】
請求項１に記載の電解コンデンサは、電解液を含むコンデンサ素子を密封状態に収納するとともに内部圧力が所定以上になった場合に電解液の蒸発ガスを噴出する安全弁が設けられたケースと；前記蒸発ガス発生から流出の経路中に介在された着色剤と；を具備することを特徴とする。
【０００８】
安全弁は、ケースの内部圧力が所定以上になった場合に電解液の蒸発ガスを逃がす機能を有していればよく、その形態は格別限定されるものではない。蒸発ガス発生から流出の経路中とは、蒸発ガス発生源である電解液を含み、また、ケースの内外を含む主旨である。着色剤は、例えば、焼損時の発煙とは区別できる色彩を呈することを意味している。
【０００９】
請求項２に記載の電解コンデンサは、請求項１に記載の電解コンデンサにおいて、前記着色剤は、絶縁性の顔料粉体であり、この絶縁性の顔料粉体又は絶縁性の粉体に当該顔料粉体を混合した混合粉体の多数の通気路を有する成形体を前記安全弁の表面側に配設したことを特徴とする。
【００１０】
請求項３に記載の電解コンデンサは、電解液を含むコンデンサ素子を密封状態に収納するとともに内部圧力が所定以上になった場合に電解液の蒸発ガスを噴出する安全弁が設けられたケースと；蒸発ガスの外部への流出を抑制するように配設された流出抑制部材と；  を具備することを特徴とする。
【００１１】
流出抑制部材は、蒸発ガスの噴出力を弱め、蒸発ガスの流出を抑制する機能を有する手段であり、例えば、多数の通気路を有する多孔質体からなる成形体や蒸発ガスを吸収する材料等から構成できる。
【００１２】
請求項４に記載の電解コンデンサは、請求項３に記載の電解コンデンサにおいて、前記流出抑制部材は、前記安全弁と対向し、ケースの内側に配設されていることを特徴とする。
【００１３】
請求項５に記載の電解コンデンサは、請求項３に記載の電解コンデンサにおいて、前記ケースには、前記安全弁を含んで覆うカバー手段が取付けられており、前記流出抑制部材は、前記安全弁と離間して対向し、カバー手段の内側に配設されていることを特徴とする。
【００１４】
カバー手段は、アルミニウムや他の金属で形成することが好ましいが、格別材質が限定されるものではない。
【００１５】
請求項６に記載の電気機器は、電気回路を構成する回路部品と；回路部品の一部として電気回路に設けられた請求項１乃至請求項５のいずれか一に記載の電解コンデンサと；を具備することを特徴とする。
【００１６】
電気回路は、例えば、光源の点灯回路やモータの駆動回路等があるが、格別限定されるものではない。回路部品には、例えば、電解コンデンサ等のコンデンサ、チョークコイル等の巻線部品、トランジスタ等のスイッチング素子等、電気回路を構成するうえで必要な部品が含まれる。
【発明の効果】
【００１７】
請求項１に記載の発明によれば、電解コンデンサの寿命末期時に安全弁が作動した場合、外部へ流出する蒸発ガスは着色された状態となるため、焼損による発煙と安全弁が作動した場合の蒸発ガスの流出とを区別することが可能となり、使用者の誤認を防止することができる。
【００１８】
請求項２に記載の発明によれば、請求項１の発明の効果に加え、蒸発ガスの外部への流出を抑制することができる。また、成形体は、安全弁の表面側に配設されているので、安全弁が作動した場合には、蒸発ガスが成形体を通過するように確実に作用させることが可能となる。さらに、成形体は、絶縁性を有しているので、電解コンデンサの安全弁部分の絶縁性を確保することが可能となる。
【００１９】
請求項３に記載の発明によれば、流出抑制部材を設けたので電解コンデンサの電解液の蒸発ガスが外部に噴出するのを抑制し、使用者の誤認を防止できる。
【００２０】
請求項４に記載の発明によれば、電解コンデンサの電解液の蒸発ガスが外部に噴出するのを抑制し、使用者の誤認を防止できる。また、安全弁が作動したとしても、流出抑制部材は、安全弁と対向するように配設されているので、安全弁の部分から外部へ流出する蒸発ガスは抑制される。
【００２１】
請求項５に記載の発明によれば、電解コンデンサの電解液の蒸発ガスが外部に噴出するのを抑制し、使用者の誤認を防止できる。また、流出抑制部材は、安全弁と離間して対向しているので、安全弁が作動して噴出する蒸発ガスは、拡散され、流出抑制部材に効率的に捕捉されるようになる。
請求項６に記載の発明によれば、前記各請求項の効果を奏する電気機器を提供できる。
【図面の簡単な説明】
【００２２】
【図１】電解コンデンサの基本構成を示す正面図である。
【図２】本発明の第１の実施形態に係る電解コンデンサを示す平面図及び正面図である。
【図３】本発明の第２の実施形態に係る電解コンデンサを示す正面図である。
【図４】本発明の実施形態に係る電気機器としての点灯装置を示すブロック図である。
【図５】同点灯装置を適用した照明器具を示す斜視図である。
【図６】本発明の第５の実施形態に係る電解コンデンサを示す平面図及び断面図である。
【図７】本発明の第６の実施形態に係る電解コンデンサを示す断面図である。
【発明を実施するための形態】
【００２３】
以下、本発明の第１の実施形態に係る電解コンデンサについて図１及び図２を参照して説明する。図１は、電解コンデンサの基本構成を示す平面図及び正面図、図２は、本実施形態の電解コンデンサを示す平面図及び正面図である。なお、各実施形態において、同一又は相当部分には同一符号を付し重複した説明は省略する。
【００２４】
まず、電解コンデンサの基本的構成を説明する。図１（ａ）、（ｂ）において、電解コンデンサ１は、ケース本体２を備えている。ケース本体２は、開口部３ａを有する有底円筒状のアルミニウム製のケース３、封口材としての封口ゴム４及び熱収縮性の絶縁性スリーブ５とを備えている。ケース３内には、陽極箔と陰極箔からなる一対の電極間に電解紙を挟み巻回し、例えば、エチレングリコール系の電解液を含浸させた電解コンデンサ素子１ａが収納されている。また、ケース３の開口部３ａには封口ゴム４が挿入されており、封口ゴム４に開口部３ａをかしめてケース３は封止、密封されている。なお、このかしめ部３ｂはリング状凹部を形成している。
【００２５】
一方、ケース３の開口部３ａとは反対側の端面には、ケース３の内部圧力が所定以上になった場合に、ケース３の一部が破れて電解液の蒸発ガスを外部に逃がす安全弁６が設けられている。安全弁６は、ケース３の内部圧力が所定以上になったときに破れるように、ケース３にＸ字形の肉薄部を形成して構成されている。この肉薄部は、Ｙ字形等に形成してもよい。また、ケース３は、円筒状の絶縁性スリーブ５によって外周表面が覆われている。絶縁性スリーブ５は、定格電圧、静電容量、極性等が印刷されたＰＥＴ樹脂や塩化ビニル樹脂からなる熱収縮性のスリーブであり、ケース３に被せた後、熱を加え、その収縮によってケース３の外周表面に被覆されるものである。さらに、ケース３の開口部３ａ側には、陽極箔と陰極箔に接続され、封口ゴム４を貫通したリード線７が導出されている。
【００２６】
次に、図２に示すように、電解コンデンサ１は、プリント基板８に実装されている。そして、安全弁６の表面側には着色剤として顔料を含んだ粉体の成形体２０が配設されている。成形体２０は、安全弁６と対向しており、略円形板状をなしている。また、この成形体２０は、絶縁性の顔料粉体を含む酸化アルミニウム（Ａｌ２Ｏ３）等の絶縁性の無機粉体をペレット状に成形して形成したものであり、多数の通気路を有する多孔質体をなしている。なお、粉体の粒径は、平均粒径で０．１〜１００μｍ程度であることが好ましい。また、通気路の大きさは、設計に応じ適宜設定すればよく、格別限定されるものではない。
【００２７】
成形体２０の配設にあたっては、成形体２０をケース３の安全弁６側、図示上、上面に配置し、絶縁性スリーブ５によってケース３の外表面とともに、成形体２０の外周縁を覆うように被覆する。この被覆によって、成形体２０は、安全弁６の表面側に固定される。
【００２８】
次に、このように構成された電解コンデンサ１の作用を説明する。電解コンデンサ１に過電圧が加わった場合や寿命末期の異常時において、電解液の蒸発ガスでケース３内の圧力が所定圧力以上に達した場合、ケース３が破裂するのを防止するため安全弁６が作動し、Ｘ字形の肉薄部が破れ、電解液の蒸発ガスが外部に噴出する。また、可燃性ガス及び異臭が発生する場合もある。この場合、蒸発ガスは、その流出経路中にある多孔質体の成形体２０を通過して流出するが、成形体２０を通過した蒸発ガスは、顔料が混ざった状態になっているので、視覚的に着色された蒸発ガスとして認識される。
【００２９】
一方、蒸発ガスは、主として成形体２０を通過し、一部は、成形体２０とケース３との隙間等から流出していくが、この通過、流出過程は、蒸発ガスの流出の抵抗として作用し、この過程で蒸発ガスは、冷却され、液状化しやすくなるので、煙状での流出が抑制されることとなる。したがって、蒸発ガスの外部への流出を抑制できるとともに、外部へ流出する蒸発ガスは着色された状態となるため、発火や焼損の際に発生する白煙、黒煙とは異なる性状の色彩で蒸発ガスを認識することができ、焼損による発煙と安全弁６が作動した場合の蒸発ガスの流出とを区別することが可能となり、使用者の誤認を防止することができる。
【００３０】
なお、成形体２０は、その粉体が飛散する可能性があるため、飛散物が他の回路部品に悪影響を及ぼさないように絶縁性と耐熱性を備えているのが好ましい。具体的には、絶縁性粉体としては、例えば、Ａｌ２Ｏ３、ＳｉＯ２、ＭｇＯ・ＳｉＯ２、ガラスや陶磁器等の無機粉体、ゼオライト、シリコーン多孔質体が適用できる。また、絶縁性の顔料粉体としては、例えば、Ｃｏ、Ｃｒ、Ｆｅ酸化物等の無機系顔料、縮合多環系顔料、インディゴ系顔料、フタロシアニン系顔料が適用できる。また、粉体の粒径が平均粒径で０．１〜１００μｍ程度であれば、安全弁６の作動時、粉体が飛散しない強度の成形体２０を形成することが可能である。さらに、粉体の飛散を防止するため、成形体２０を金属製のメッシュとともに成形してもよく、また、焼成して成形するようにしてもよい。
【００３１】
さらにまた、上記成形体２０は、酸化アルミニウム（Ａｌ２Ｏ３）等の絶縁性の無機粉体に絶縁性の顔料粉体を含む場合について説明したが、成形体２０を絶縁性の顔料粉体のみで成形してもよく、この場合も同様な作用効果を奏することができる。
【００３２】
以上のように本実施形態によれば、安全弁６が作動し、電解液の蒸発ガスが噴出すると、外部へ流出する蒸発ガスは着色された状態となるため、焼損による発煙と安全弁６が作動した場合の蒸発ガスの流出とを区別することが可能となり、使用者の誤認を防止することができる。また、成形体２０は、安全弁６の表面側に配設されているので、安全弁６が作動した場合には、蒸発ガスが成形体２０を通過するように確実に作用させることが可能となる。さらに、蒸発ガスの外部への流出を抑制することができる。また、成形体２０は、絶縁性を有しているので、電解コンデンサ１の安全弁６部分の絶縁性を確保することが可能となる。
【００３３】
次に、本発明の第２の実施形態に係る電解コンデンサについて図３を参照して説明する。図３は、電解コンデンサを示す正面図である。本実施形態では、リード線７が貫通する貫通孔が形成された略円形板状の成形体２０ａをケース３の開口部３ａ、すなわち、封口ゴム４の表面側にも配設したものである。この成形体２０ａも第１の実施形態と同様に、絶縁性スリーブ５によって成形体２０ａの外周縁が被覆されて固定されているものである。
【００３４】
ところで、電解コンデンサ１に過電圧が加わった場合や寿命末期の異常時において、電解液の蒸発ガスでケース３内の圧力が所定圧力以上に達した場合、基本的には安全弁６が作動し、安全弁６側から蒸発ガスが噴出するが、他方のかしめ部３ｂである封口ゴム４とケース３の間からも蒸発ガスが漏れる場合がある。このため、この場合にも成形体２０ａを通過した蒸発ガスは、視覚的に着色された蒸発ガスとして認識され、焼損による発煙と蒸発ガスの流出とを区別することが可能となる。
【００３５】
以上のように本実施形態によれば、成形体２０、２０ａを安全弁６及び封口ゴム４の表面側に配設したので、使用者の誤認を防止する効果を高めることができる。
【００３６】
次に、本発明の第３の実施形態に係る電解コンデンサについて説明する。本実施形態では、電解コンデンサの電解液の中に着色剤を添加するものである。したがって、安全弁が作動し、電解液の蒸発ガスが噴出すると、この蒸発ガスとともに着色剤が外部へ流出し、蒸発ガスは着色された状態となるため、焼損による発煙と安全弁が作動した場合の蒸発ガスの流出とを区別することが可能となり、使用者の誤認を防止することができる。
【００３７】
次に、本発明の第４の実施形態に係る電解コンデンサについて説明する。本実施形態では、電解コンデンサの安全弁の部分に着色剤を付加するものである。したがって、安全弁が作動し、電解液の蒸発ガスが噴出すると、この蒸発ガスと着色剤とが反応し、着色された蒸発ガスが外部へ流出し、焼損による発煙と安全弁が作動した場合の蒸発ガスの流出とを区別することが可能となり、使用者の誤認を防止することができる。
【００３８】
続いて、本発明の実施形態に係る電気機器について図４及び図５を参照して説明する。図４は、電気機器としての点灯装置を示すブロック図、図５は、点灯装置を適用した照明器具を示す斜視図である。図４において、電気機器としての点灯装置３０は、電気回路として点灯回路３１を備えている。点灯回路３１は、フィルタ回路３２、整流平滑回路３３、高周波変換回路３４及びランプ点灯回路３５とから構成されており、ランプ点灯回路３５には光源としての蛍光ランプ３６が接続されるようになっている。フィルタ回路３２は、商用交流電源ＡＣに接続され、ノイズによる機器の誤動作や他の機器への障害を防止する機能をなし、整流平滑回路３３は、商用交流を整流平滑し、高周波変換回路３４は、直流を高周波に変換し、ランプ点灯回路３５は、ランプの始動、点灯維持機能を有する。ここで、整流平滑回路３３には、上記各実施形態の電解コンデンサ１が用いられ、接続されている。
【００３９】
図５において、照明器具４０は、天井面に埋め込まれて設置される埋込形の器具であり、器具本体４１の長手方向の両端にソケット４２が取付けられおり、このソケット４２に光源としての直管形蛍光ランプ４６が接続されている。器具本体４１内には、前記点灯装置３０が収納されている。
【００４０】
このように構成された点灯装置３０に商用交流電源ＡＣを投入すると、フィルタ回路３２を通じて整流平滑回路３３の電解コンデンサ１が充電され、高周波変換回路３４を介して、充電された電圧が高周波電圧として蛍光ランプ３６に供給され、蛍光ランプ３６が点灯する。ここで、電解コンデンサ１の安全弁６が作動し、電解液の蒸発ガスが噴出した場合、外部へ流出する蒸発ガスは着色された状態となるため、焼損による発煙と安全弁６が作動した場合の蒸発ガスの流出とを区別することが可能となり、使用者の誤認を防止することができる。
【００４１】
次に、本発明の第５の実施形態に係る電解コンデンサについて図６を参照して説明する。図は、電解コンデンサの平面図及び断面図を示している。電解コンデンサ１は、ケース本体２を備え、ケース本体２は、アルミニウム製のケース３、封口ゴム４及び熱収縮性の絶縁性スリーブ５を備えている。ケース３内には、陽極箔と陰極箔からなる一対の電極間に電解紙を挟み巻回し、電解液を含浸させた電解コンデンサ素子１ａが収納されている。
【００４２】
ケース３の一端面には、電解液の蒸発ガスを外部に逃がす安全弁６が設けられている。安全弁６は、ケース３の内部圧力が所定以上になったときに破れるように、肉薄部を形成して構成されている。さらに、ケース３の開口部３ａ側には、陽極箔と陰極箔に接続され、封口ゴム４を貫通したリード線７が導出されている。
【００４３】
そして、ケース３の内側上部には、多数の通気路を有する多孔質体をなした略円形板状の絶縁性の成形体２０ｂが安全弁６と対向するように配設されている。また、この成形体２０ｂは、その外周がケース３の内周面と緊密に嵌合している。さらに、この成形体２０ｂは、着色剤を含むことを妨げるものではないが、本実施形態では、着色剤は含んでいない。
【００４４】
このように構成された電解コンデンサ１の作用を説明する。電解コンデンサ１に過電圧が加わった場合や寿命末期の異常時において、電解液が蒸発し、その蒸発ガスでケース３内の圧力が上昇するが、成形体２０ｂは、蒸発ガスの流出の抵抗として作用する。したがって、蒸発ガスは、多数の通気路と接触する過程で冷却され、液状化されやすくなる。つまり、蒸発ガスの噴出力は弱まり、基本的には、安全弁６が作動することなく、蒸発ガスの外部への流出を抑制することができる。この意味では、成形体２０ｂは、蒸発ガスの噴出力を吸収し、蒸発ガスの流出抑制部材としての機能を果たしているものである。
【００４５】
さらに、例え、ケース３の内部圧力の上昇により、安全弁６が作動したとしても、成形体２０ｂは、安全弁６と対向するように配設されているので、蒸発ガスの流出の抵抗として作用し、安全弁６の部分から外部へ流出する蒸発ガスは抑制されるようになる。
【００４６】
なお、上記では蒸発ガスの流出抑制部材としての機能を果たす手段として多孔質の成形体２０ｂを用いたが、これに限らず、蒸発ガスの流出を抑制できれば、例えば、蒸発ガスを吸収できるような他の材料で構成するようにしてもよい。
【００４７】
以上のように本実施形態によれば、電解コンデンサ１の電解液の蒸発ガスが外部に噴出するのを抑制し、使用者の誤認を防止できる。また、例え、安全弁６が作動したとしても、成形体２０ｂは、安全弁６と対向するように配設されているので、安全弁６の部分から外部へ流出する蒸発ガスは抑制される。
【００４８】
次に、本発明の第６の実施形態に係る電解コンデンサについて図７を参照して説明する。図は、電解コンデンサの断面図を示している。本実施形態の電解コンデンサ１では、安全弁６を含んで覆うカバー手段１０を取付け、このカバー手段１０の内側に安全弁６と対向して成形体２０ｂを配設したものである。成形体２０ｂは、前記第５の実施形態と同様に蒸発ガスの流出抑制部材としての機能を果たすものである。
【００４９】
カバー手段１０は、円筒状に形成されたアルミニウム製であり、ケース３と略相似形に形成され、ケース３の全体を覆うようにその下側がケース３の開口部３ａ側に取付けられている。したがって、ケース３の外周面とカバー手段１０の内周面との間には、所定のスペースＳが形成されるようになっている。
【００５０】
カバー手段１０の内側上部には、略円形板状の絶縁性の成形体２０ｂが安全弁６と対向し、スペースＳによって所定寸法離間するように配設されている。
【００５１】
このように構成された電解コンデンサ１の作用を説明する。電解コンデンサ１に過電圧が加わった場合や寿命末期の異常時において、電解液が蒸発し、その蒸発ガスでケース３内の圧力が所定圧力以上に達した場合、ケース３が破裂するのを防止するため安全弁６が作動し、肉薄部が破れ、電解液の蒸発ガスが外部に噴出する。そして、この蒸発ガスは、カバー手段１０のスペースＳ内に流出し、拡散される。
【００５２】
ここで、成形体２０ｂは、多数の通気路を有する多孔質体をなしているので、蒸発ガスの流出の抵抗として作用し、蒸発ガスは、多数の通気路と接触する過程で冷却され、液状化されやすくなる。このため、蒸発ガスの噴出力は弱まり、蒸発ガスは、カバー手段１０内に留まり、外部に流出するのが抑制される。したがって、成形体２０ｂは、蒸発ガスの噴出力を吸収し、蒸発ガスの流出抑制部材としての機能を果たしているものである。
【００５３】
なお、上記では蒸発ガスの流出抑制部材としての機能を果たす手段として多孔質の成形体２０ｂを用いたが、蒸発ガスの流出を抑制できれば、例えば、蒸発ガスを吸収できるような他の材料で構成するようにしてもよい。
【００５４】
以上のように本実施形態によれば、電解コンデンサ１の電解液の蒸発ガスが外部に噴出するのを抑制し、使用者の誤認を防止できる。また、既存の電解コンデンサの基本的構成を変えることなく、カバー手段１０及び成形体２０ｂを付加することにより、所期の目的を達成できる。さらに、成形体２０ｂは、スペースＳによって、安全弁６と離間して対向しているので、安全弁６が作動して噴出する蒸発ガスは、拡散され、成形体２０ｂに効率的に捕捉されるようになる。加えて、スペースＳによって、蒸発ガスの収容容積が大きくなっているので、蒸発ガスの噴出力を低下させて、カバー手段１０内に滞留させることが可能となる。
【００５５】
なお、本発明は、上記各実施形態の構成に限定されることなく、発明の要旨を逸脱しない範囲で種々の変形が可能である。例えば、電解コンデンサの電解液に香料成分を添加するようにしてもよい。ミントやハーブ等の耐熱性の高い人工香料成分、臭気成分を内蔵するマイクロカプセル又は無機顔料等の耐熱絶縁顔料を添加しておき、電解液の蒸発ガスが噴出した場合、この蒸発ガスとともに香料成分が飛散し、焼損時とは異なる臭気を放出することで焼損による発煙と安全弁６が作動した場合の蒸発ガスの流出とを区別することが可能となる。また、電気機器としては、点灯装置に限らず、モータを制御する駆動制御装置等にも適用でき、さらに、電解コンデンサを用いる電気回路を備えた他の電気機器にも適用できる。
【符号の説明】
【００５６】
１・・・電解コンデンサ、１ａ・・・コンデンサ素子、３・・・ケース、
６・・・安全弁、１０・・・カバー手段、２０・・・成形体（流出抑制部材）、
３０・・・電気機器（点灯装置）、３１・・・電気回路（点灯回路）
【図１】
2010056537.tif 000003
【図２】
2010056537.tif 000004
【図３】
2010056537.tif 000005
【図４】
2010056537.tif 000006
【図５】
2010056537.tif 000007
【図６】
2010056537.tif 000008
【図７】
2010056537.tif 000009